(57)【要約】【課題】被験者の社会性能力を、極めて簡単な装置と手順で、短時間に効率的且つ客観的に測定し、収集できる、社会性能力検査方法及び社会性能力検査システムを提供する。【解決手段】大音響のホワイトノイズに、人間の声を小さな音量で一瞬だけ流す。この人間の声を聞き取れた被験者は、押しボタンスイッチを押して回答する。被験者が幼児であることが多いので、情報処理装置の表示部に表示される操作パネルには、被験者が押しボタンスイッチを押したことを示すインジケータが設けられている。【選択図】図１
2016202443.tif 000002
【特許請求の範囲】
【請求項１】
所定の音圧レベルの雑音を発する雑音発生ステップと、
前記雑音発生ステップにて前記雑音に重畳して、人間の声を所定の音圧レベルで発する音声発生ステップと、
前記音声発生ステップにて発された前記人間の声の発音時点から所定の時間範囲内で被験者の反応を検出する反応検出ステップと
を含む、社会性能力検査方法。
【請求項２】
更に、
前記音声発生ステップにおける前記人間の声の前記音圧レベルと、前記反応検出ステップにおける前記被験者の反応とを記録するログ記録ステップと
を含み、
前記音声発生ステップは、前記人間の声を複数段階の指定した音圧レベルにて発するものであり、
前記反応検出ステップは、前記被験者がモメンタリーのスイッチを押したことを検出するものである、
請求項１に記載の社会性能力検査方法。
【請求項３】
前記反応検出ステップは、前記音声発生ステップにて発された前記人間の声の発音時点から前記被験者の反応の誤検出を防ぐための誤検出除外期間を設け、前記誤検出除外期間の後から前記所定の時間範囲内で前記被験者が前記スイッチを押したことを正常な反応であると認識する、
請求項２に記載の社会性能力検査方法。
【請求項４】
所定の音圧レベルの雑音を継続的に発しつつ、前記雑音に重畳して、人間の声を操作者によって指定された音圧レベルで発する雑音音声発生部と、
前記雑音音声発生部にて発された前記人間の声の発音時点から所定の時間範囲内で被験者の反応を検出する反応検出部と
を具備する、社会性能力検査システム。
【請求項５】
更に、
前記被験者の反応を表示するインジケータが表示される表示部と
を具備し、
前記反応検出部は前記被験者がモメンタリーのスイッチを押したことを検出するものである、
請求項４に記載の社会性能力検査システム。
【請求項６】
前記反応検出部は、前記雑音音声発生部にて発された前記人間の声の発音時点から前記被験者の反応の誤検出を防ぐための誤検出除外期間を設け、前記誤検出除外期間の後から前記所定の時間範囲内で前記被験者が前記スイッチを押したことを正常な反応であると認識する、
請求項５に記載の社会性能力検査システム。
【発明の詳細な説明】
【技術分野】
【０００１】
本発明は、社会性能力検査方法及び社会性能力検査システムに適用して好適な技術に関する。
より詳細には、人の社会性能力に関するデータを、極めて簡単な装置と手順で、効率的且つ客観的に測定し、収集できる、社会性能力検査方法と、これを実施する社会性能力検査システムに関する。
【背景技術】
【０００２】
発達障害の種類は多岐に渡るが、その根本は社会性能力の欠如あるいは欠陥という上位概念で纏めることができる。社会性能力とは、他人と関わるための能力ともいえる。このような社会性能力の欠如は、幼年期から少年期にかけて顕著に見受けられる。例えば、社会性能力の欠如に係る発達障害の一つとして、自閉症スペクトラム障害（Autism spectrum disorders、以下「ＡＳＤ」と略）がある。ＡＳＤは、コミュニケーションの障害や想像力の欠如の症状を特徴とする。団体行動の障害となるＡＳＤは、主に児童に多く見受けられ、多くの場合成人するに連れて症状が改善されるが、一部の成人には症状が残存することもあると言われる。また、ＡＳＤの一つである自閉症は代表的な社会性能力の欠如に係る発達障害であると共に、先天性の脳機能障害である。この他、例えば注意欠陥・多動性障害（AD/HD: Attention Deficit / Hyperactivity Disorder、以下「ＡＤＨＤ」と略）も社会性能力の欠如に係る発達障害に含まれる。但し、統合失調症や解離性障害等はこの発達障害には含まれない。
なお、本発明に関連すると思われる先行技術文献として、特許文献１及び特許文献２を示す。
【先行技術文献】
【特許文献】
【０００３】
【特許文献１】特開２００２−１１２９８１号公報
【特許文献２】再表２００９／１４８０６９号公報
【発明の概要】
【発明が解決しようとする課題】
【０００４】
被験者の社会性能力を客観的に診断する方法は、未だ確立されていない。このため、専門の知見と経験を有する精神科医または小児科医が診断を行う必要がある。しかし、精神科医の人的リソースは限られており、あまねく全ての児童に対して精神科医または小児科医が社会性能力を診断することは現実的に不可能であるというのが実情である。
【０００５】
本発明は係る課題に鑑みてなされたものであり、被験者の社会性能力を、極めて簡単な装置と手順で、短時間に効率的且つ客観的に測定し、収集できる、社会性能力検査方法及び社会性能力検査システムを提供することを目的とする。
【課題を解決するための手段】
【０００６】
上記課題を解決するために、本発明の社会性能力検査方法は、所定の音圧レベルの雑音を発する雑音発生ステップと、雑音発生ステップにて雑音に重畳して、人間の声を所定の音圧レベルで発する音声発生ステップと、音声発生ステップにて発された人間の声の発音時点から所定の時間範囲内で被験者の反応を検出する反応検出ステップとを含む。
【発明の効果】
【０００７】
本発明により、被験者の社会性能力を、極めて簡単な装置と手順で、短時間に効率的且つ客観的に測定し、収集できる、社会性能力検査方法及び社会性能力検査システムを提供することができる。
上記した以外の課題、構成及び効果は、以下の実施形態の説明により明らかにされる。
【図面の簡単な説明】
【０００８】
【図１】本発明の実施形態の例である、社会性能力検査システムを用いた社会性能力検査の様子を示す概略図と、被験者の検査中における別形態の状態を示す概略図と、被験者の検査中に使用する目隠し箱を示す概略図である。
【図２】社会性能力検査システムの第一の構成及び第二の構成を示すブロック図である。
【図３】情報処理装置のハードウェア構成を示すブロック図と、社会性能力検査システムの、第一の構成に係る情報処理装置におけるソフトウェア機能を示すブロック図と、社会性能力検査システムの、第一の構成の別形態を示す一部ブロック図である。
【図４】オージオメータまたはオーディオミキサの構成を示すブロック図である。
【図５】社会性能力検査システムの、第二の構成に係る情報処理装置におけるソフトウェア機能を示すブロック図である。
【図６】社会性能力検査システムの、情報処理装置の表示部に表示される操作パネルの一例を示す概略図である。
【図７】社会性能力検査システムの、正誤判定のタイムチャートである。
【図８】社会性能力検査システムを用いた、社会性能力検査の手順を示すタイムチャートである。
【図９】健常児及びＡＳＤ児を対象として本実施形態の社会性能力検査システムによる検査を実施した際の、非音声に対する感受性と、音声に対する感受性について、大まかに分類した棒グラフである。
【図１０】検査結果を集計した結果の受信者操作特性を示すＲＯＣ曲線のグラフである。
【発明を実施するための形態】
【０００９】
先ず、本実施形態の概要を説明する。
本実施形態で説明する社会性能力検査システム１０１は、大音響のホワイトノイズに、人間の声を小さな音量で一瞬だけ流し、これを聞き取れた被験者が押しボタンスイッチ１０５を押して回答する。人間の耳は非人間性の環境音よりも人間の声に対して鋭敏に反応することが知られている。この、人間の声に対する感度が、社会性能力と有意な相関性を有することが、多数の被験者に対する検査結果より明らかになった。
【００１０】
［社会性能力検査システム１０１の使用態様］
図１Ａは、本発明の実施形態の例である、社会性能力検査システム１０１を用いた社会性能力検査の様子を示す概略図である。
図１Ｂは、被験者１０２の検査中における別形態の状態を示す概略図である。
図１Ｃは、被験者１０２の検査中に使用する目隠し箱１０３を示す概略図である。
社会性能力検査システム１０１は、主に３歳から１５歳までの児童を対象に実施する、聴力検査に類似する検査システムである。
社会性能力検査システム１０１は、スピーカ１０４から検査用の音を再生し、被験者１０２の反応を押しボタンスイッチ１０５で検出する。なお、被験者が障害者である場合は、押しボタンスイッチ１０５に代えてフットスイッチ等が利用可能である。押しボタンスイッチ１０５として利用可能なスイッチの種類は、押されている間だけオン状態になるモメンタリーである。
社会性能力検査システム１０１が通常の検査を実施する際には、概ね１０人程度の、複数の被験者１０２がスピーカ１０４を取り囲むように机１０６を並べる。そして、被験者１０２には図１Ａに示すようにアイマスク１０７を装着させて、他の被験者１０２の手元が見えないようにする。なお、被験者１０２が３歳から５歳までの幼児である場合、アイマスク１０７を装着できない場合がある。その際は、図１Ｂ及び図１Ｃに示すように、目隠し箱１０３を設けて押しボタンスイッチ１０５を持つ手を隠す。
【００１１】
［社会性能力検査システム１０１の全体構成］
社会性能力検査システム１０１は、ホワイトノイズを大音響で発音しながら、人間の声を小さな音量で発音する機能と、被験者１０２の反応を検出する機能を備えていればよい。これらの機能を実現する社会性能力検査システム１０１の構成は、様々な構成が考えられるが、代表的な二つの構成を以下に記す。
図２Ａは、社会性能力検査システム１０１の第一の構成を示すブロック図である。
社会性能力検査システム１０１は、パソコン等の情報処理装置２０１と、オージオメータ２０２と、ホワイトノイズ発生源２０３を有する。
【００１２】
情報処理装置２０１には、被験者１０２の反応を検出するための複数の押しボタンスイッチ１０５がマルチプレクサ（図２Ａ及び図２Ｂ中「ＭＰＸ」と略記、以下「ＭＰＸ」と略す。）２０４を通じて接続されている。また、情報処理装置２０１は音の発音を指示するマウス等のポインティングデバイスを有する操作部２０５が接続されている。情報処理装置２０１は、操作部２０５から入力される指示に基づいて、人間の声や環境音等の音を再生する。そして、それらの音を再生した時点から内蔵するタイマで計測した時間内に、被験者１０２によって押しボタンスイッチ１０５が押されたか否かを検出し、その検出結果を内蔵の不揮発性ストレージに記録する。
【００１３】
ホワイトノイズ発生源２０３は、ホワイトノイズまたはピンクノイズ等の雑音を発する機能を有するものならば何でもよい。例えば市販の携帯型オーディオプレーヤで雑音の音声ファイルを再生する他、アンテナを外して放送局を受信していないＦＭラジオ等が利用可能である。
オージオメータ２０２は、周知の聴力検査に使用する、被験者１０２の聴覚機能を検査する装置であり、内蔵音源や外部の音源の信号を正確な音圧（デシベル値）で出力できる機能を備える。特に、本実施形態で使用するオージオメータ２０２は、複数の音源をそれぞれ正確なデシベル値で同時に出力し、スピーカ１０４を駆動できる機能を備える。すなわちオージオメータ２０２は、情報処理装置２０１が出力する音声信号と、ホワイトノイズ発生源２０３が出力するホワイトノイズ信号をそれぞれ指定されたデシベル値でミキシングして出力する、周知のオーディオミキサとしての機能を備える。
【００１４】
図２Ａに示すように、発明者らは、聴力検査に使用するオージオメータ２０２に、情報処理装置２０１が出力する音声信号と、ホワイトノイズを出力する携帯型オーディオプレーヤを組み合わせて、社会性能力検査システム１０１を構築した。オージオメータ２０２を使用した理由は、指定したデシベル値でスピーカ１０４から正確な音圧を出力する機能を備える装置がオージオメータ２０２以外に見つけ難いからである。したがって、情報処理装置２０１単体で、指定したデシベル値でスピーカ１０４から正確な音圧を出力する機能を実現できるなら、オージオメータ２０２は必須ではない。
図２Ｂは、社会性能力検査システム１０１の第二の構成を示すブロック図である。
図２Ｂの、図２Ａの社会性能力検査システム１０１との相違点は、オージオメータ２０２とホワイトノイズ発生源２０３がない点である。すなわち、情報処理装置２０１単体で、ホワイトノイズ信号を指定されたデシベル値で発音しながら、操作部２０５によって指定された音声信号を指定されたデシベル値で再生し、ホワイトノイズ信号とミキシングして、出力する機能を備える。
【００１５】
［情報処理装置２０１のハードウェア構成とソフトウェア機能］
図３Ａは、情報処理装置２０１のハードウェア構成を示すブロック図である。
周知のパソコンよりなる情報処理装置２０１は、ＣＰＵ３０１、ＲＯＭ３０２、ＲＡＭ３０３、不揮発性ストレージ３０４、表示部３０５、操作部２０５、音声インターフェース（図３Ａ中「音声Ｉ／Ｆ」と略記、以下「音声Ｉ／Ｆ」と略す。）３０６、シリアルインターフェース（図３Ａ中「シリアルＩ／Ｆ」と略記、以下「シリアルＩ／Ｆ」と略す）３０７が、バス３０８に接続されている。
不揮発性ストレージ３０４には、周知のＯＳと、パソコンを社会性能力検査システム１０１の情報処理装置２０１として機能させるためのプログラムと、複数の音声ファイル等が格納されている。
音声Ｉ／Ｆ３０６はオージオメータ２０２に接続され、音声ファイルの再生信号をオージオメータ２０２に出力する。
シリアルＩ／Ｆ３０７はＵＳＢ等であり、押しボタンスイッチ１０５が接続されるＭＰＸ２０４に接続される他、オージオメータ２０２にも接続される。
なお、音声Ｉ／Ｆ３０６は周知のＵＳＢオーディオインターフェースを用いてもよい。その場合、音声Ｉ／Ｆ３０６はシリアルＩ／Ｆ３０７を通じて情報処理装置２０１に接続される構成となる。
【００１６】
図３Ｂは、社会性能力検査システム１０１の、第一の構成に係る情報処理装置２０１におけるソフトウェア機能を示すブロック図である。
操作部２０５から出力される再生指令は入出力制御部３１０に入力され、再生処理部３１１と、入出力制御部３１０を構成するタイマ３１２とＧＵＩ制御部３１３に伝達される。再生処理部３１１は再生指令を受けて、音声ファイルディレクトリ３１４に格納されている複数の音声ファイルから、指定された音声ファイルを選択して、デコード及び再生処理を行う。そして、再生信号をオージオメータ２０２に出力する。
タイマ３１２は、後述する時間範囲を示すウィンドウを形成し、入出力制御部３１０を構成する正誤判定処理部３１５に出力する。正誤判定処理部３１５は、このウィンドウの時間範囲内に押しボタンスイッチ１０５が押されたことを検出して、該当する被験者１０２の正誤判定を行い、ユーザテーブル３１６を参照しつつ、ログテーブル３１７に正誤判定を記録する。
【００１７】
不揮発性ストレージ３０４に形成されるユーザテーブル３１６は、被験者１０２を一意に識別するＩＤ情報が格納されるＩＤ情報フィールドと、被験者１０２の氏名等の情報が格納される個人情報フィールドを有するテーブルである。
不揮発性ストレージ３０４に形成されるログテーブル３１７は、ユーザテーブル３１６と同じＩＤ情報フィールドと、検査を実施した日時情報が格納される日時情報フィールドと、検査の正誤結果等の情報が格納される検査結果フィールドを有するテーブルである。なお、日時情報は検査の正当性を担保するために設けられるが、検査自体には必須ではない。
ＧＵＩ制御部３１３は、表示部３０５に図６にて後述する操作パネル６０１を表示し、操作部２０５によって操作されるマウスカーソルや、正誤判定処理部３１５から出力される正誤判定結果等を操作パネル６０１に表示する。
【００１８】
音声ファイルディレクトリ３１４には、複数種類の音声ファイルが格納されている。これら音声ファイルは、人間の声を０．３〜１ｓｅｃ程度の時間だけ格納した第一音声、第二音声及び第三音声の３個と、人間の声でない環境音を０．３〜１ｓｅｃ程度の時間だけ格納した第一非音声、第二非音声及び第三非音声の３個がある。
第一音声、第二音声及び第三音声には、乳児の泣き声、咳払い、笑い声等の、言葉としての意味を持たない人間の声が収録される。
第一非音声、第二非音声及び第三非音声には、サイレンのような音、動物の鳴き声のような音、金属音のような音等の、人間の声ではなく、かつホワイトノイズとは明確に峻別できる音が収録される。
【００１９】
図３Ｃは、社会性能力検査システム１０１の、第一の構成の別形態を示す一部ブロック図である。
オージオメータ２０２は、ＵＳＢ等による制御が可能なオーディオミキサ３１８で代替することが可能である。すなわち、音声ファイルディレクトリ３１４に格納されている音声ファイルを、指定したデシベル値で再生するためのフェーダのパラメータを情報処理装置２０１の不揮発性ストレージ３０４またはＲＡＭ３０３に記憶しておく。そして、操作部２０５から出力される再生指令を受けて、指定された音声ファイルを指定されたデシベル値に相当するフェーダのパラメータでオーディオミキサ３１８のフェーダを制御することで、オージオメータ２０２に相当する機能をオーディオミキサ３１８で実現することが可能である。
【００２０】
図４は、オージオメータ２０２またはオーディオミキサ３１８の構成を示すブロック図である。図４ではオージオメータ２０２を想定して説明する。
オージオメータ２０２は、第一のチャンネルを構成する第一プリアンプ４０１、第一アッテネータ４０２、第一バッファ４０３と、第二のチャンネルを構成する第二プリアンプ４０４、第二アッテネータ４０５、第二バッファ４０６を有する。
第一プリアンプ４０１には、所定の音源が発する音声信号が入力され、所定のゲインまで増幅する。同様に、第二プリアンプ４０４も、所定の音源が発する音声信号が入力され、所定のゲインまで増幅する。
【００２１】
第一アッテネータ４０２は、第一プリアンプ４０１の出力信号を、制御部によって指定されたレベルまで減衰させる。第二アッテネータ４０５も同様に、第二プリアンプ４０４の出力信号を、制御部４０７によって指定されたレベルまで減衰させる。
第一アッテネータ４０２の出力信号と、第二アッテネータ４０５の出力信号は、それぞれ第一バッファ４０３及び第二バッファ４０６を介して、加算器４０８に入力される。加算器４０８の出力信号は、マスターアンプ４０９によって増幅され、スピーカ１０４に出力される。
なお、図４がオーディオミキサ３１８の場合、第一アッテネータ４０２の代わりに第一フェーダ、第二アッテネータ４０５の代わりに第二フェーダとなる。
制御部４０７は、情報処理装置２０１からＵＳＢ等のシリアルＩ／Ｆ３０７を通じてアッテネータまたはフェーダの制御指令を受信すると、制御指令に従って各チャンネルのアッテネータまたはフェーダを制御する。
【００２２】
図５は、社会性能力検査システム１０１の、第二の構成に係る情報処理装置２０１におけるソフトウェア機能を示すブロック図である。
図５の、図３Ｂに示す情報処理装置２０１との相違点は、オージオメータ２０２またはオーディオミキサ３１８と、ホワイトノイズ発生源２０３が省略されていることである。
ホワイトノイズ発生源２０３に相当するものは、音声ファイルディレクトリ３１４内のホワイトノイズファイルと、再生処理部３１１が該当する。
オージオメータ２０２またはオーディオミキサ３１８は、再生処理部３１１が該当する。
【００２３】
［操作パネル６０１］
図６は、社会性能力検査システム１０１の、情報処理装置２０１の表示部３０５に表示される操作パネル６０１の一例を示す概略図である。
図６中、操作パネル６０１の左上には被験者１０２のＩＤ情報を記入するＩＤ欄６０２が設けられている。本実施形態の社会性能力検査システム１０１は、最大１０個までの押しボタンスイッチ１０５を運用可能なので、１０人分のＩＤ欄６０２が設けられている。個々のＩＤ欄６０２の左上には、押しボタンスイッチ１０５が押された際に点灯するインジケータ６０３が設けられている。
操作パネル６０１の左下には、ホワイトノイズの再生をオージオメータ２０２に指示する再生ボタン６０４と、ホワイトノイズの再生停止をオージオメータ２０２に指示する停止ボタン６０５と、ホワイトノイズの音圧レベルを指定する音圧切替バー６０６が設けられている。
【００２４】
操作パネル６０１の右側には、非音声と音声を三種類ずつ、それぞれ指定した音圧レベルで再生を指示する再生指示ボタン領域６０７が設けられている。図６中、「Ｎ１」とは第一非音声、「Ｎ２」とは第二非音声、「Ｎ３」とは第三非音声、「Ｖ１」とは第一音声、「Ｖ２」とは第二音声、「Ｖ３」とは第三音声を指す。各々の比音声及び音声の欄に表示されている「７０」から始まり「４５」で終わる数字の列は、音圧レベルを指す。すなわち、７０ｄＢから４５ｄＢまで、５ｄＢ刻みで音圧レベルを指定した再生が可能である。すなわち、ある音圧レベルのボタンをクリックすると、選択された音声または非音声の再生指示が、入出力制御部３１０から再生処理部３１１に伝達される。また同時に、指定された音圧レベルの指示が情報処理装置２０１からシリアルＩ／Ｆ３０７を通じてオージオメータ２０２（またはオーディオミキサ３１８）に伝達される。オージオメータ２０２の制御部４０７は、情報処理装置２０１からシリアルＩ／Ｆ３０７を通じて音声または非音声のためのアッテネータの制御指令を受信すると、制御指令に従って当該チャンネルのアッテネータを制御する。
操作パネル６０１の下には、検査の開始（「ｓｔａｒｔ」）、再開（「ｒｅｓｔａｒｔ」）、検査結果の保存（「ｓａｖｅ」）及び終了（「ｓｔｏｐ」）を指示する検査制御ボタン６０８が設けられている。
【００２５】
［正誤判定タイムチャート］
図７は、社会性能力検査システム１０１の、正誤判定のタイムチャートである。各タイムチャートは、縦軸が論理を、横軸が時間を示す。論理は高い状態が真である。
図７中、一番上のタイムチャートＣ７０１は、操作部２０５であるマウスのクリックによる再生指示を示す。時刻ｔ１からｔ２までの時点で論理が真になっている。
図７中、上から二番目のタイムチャートＣ７０２は、情報処理装置２０１から出力される音声ファイルの再生音を示す。マウスがクリックされた時刻ｔ１の時点で再生が開始され、時刻ｔ３で再生が終了している。
図７中、上から三番目のタイムチャートＣ７０３は、入出力制御部３１０のタイマ３１２が生成するウィンドウを示す。タイマ３１２は、マウスがクリックされた時刻ｔ１の時点から１００ｍｓｅｃを経過した時刻ｔ４から、マウスがクリックされた時刻ｔ１の時点から１．８ｓｅｃを経過した時刻ｔ５までを、押しボタンスイッチ１０５が押された際に正答と判断するためのウィンドウ期間として定め、このウィンドウを正誤判定処理部３１５に送出する。
【００２６】
図７中、上から四番目のタイムチャートＣ７０４は、被験者１０２が押しボタンスイッチ１０５を押したタイミングが正答であると判断する場合を示すタイムチャートである。被験者１０２は時刻ｔ６からｔ７の間、押しボタンスイッチ１０５を押した。この時刻ｔ６は、ウィンドウ期間である時刻ｔ４からｔ５までの時間範囲内に含まれている。したがって、情報処理装置２０１はこの被験者１０２の反応を正常反応であると認識し、検査結果をＲＡＭ３０３に保持する。
図７中、上から五番目のタイムチャートＣ７０５は、被験者１０２が押しボタンスイッチ１０５を押したタイミングが誤答であると判断する場合を示すタイムチャートである。被験者１０２は時刻ｔ８からｔ９の間、押しボタンスイッチ１０５を押した。この時刻ｔ８は、ウィンドウ期間である時刻ｔ４からｔ５までの時間範囲内に含まれていない。つまり、時刻ｔ４からｔ５までの時間範囲内に、被験者１０２は押しボタンスイッチ１０５を押していない。したがって、情報処理装置２０１はこの被験者１０２の反応を反応ミスであると認識し、検査結果をＲＡＭ３０３に保持する。
【００２７】
図７中、一番下のタイムチャートＣ７０６は、被験者１０２が押しボタンスイッチ１０５を押したタイミングが誤答であると判断する場合を示すタイムチャートである。被験者１０２は時刻ｔ１０からｔ１１の間、押しボタンスイッチ１０５を押した。この時刻ｔ１０からｔ１１までの期間は、その一部がウィンドウ期間である時刻ｔ４からｔ５までの時間範囲内に含まれている。しかしながら、時刻ｔ１０からｔ１１までの期間には、操作者がマウスをクリックした時刻ｔ１から、タイマ３１２がウィンドウ期間を形成した時刻ｔ４までの期間をも含んでいる。この、時刻ｔ１からｔ４までの期間は、被験者１０２がいたずら等で、操作者の再生指示より前から押しボタンスイッチ１０５を押し続けていた場合を誤答として除外するための、誤操作除外期間である。すなわち、時刻ｔ１からｔ４までの期間に押しボタンスイッチ１０５が押されていた場合は、例えウィンドウ期間内（時刻ｔ４からｔ５）に押しボタンスイッチ１０５が押されていたとしても、情報処理装置２０１はその反応を誤答として認識する。したがって、情報処理装置２０１はこの被験者１０２の反応を反応ミスであると認識し、検査結果をＲＡＭ３０３に保持する。
時刻ｔ４の１００ｍｓｅｃは、人間の反応限界以下の時間であり、この時間内で反応することは殆どあり得ないので、正誤判定処理部３１５の正誤判定処理に利用している。
【００２８】
なお、上記の正誤判定処理は、押しボタンスイッチ１０５が押された期間を見ているが、これに代えて押しボタンスイッチ１０５が押された時点のアップエッジを検出してもよい。すなわち、時刻ｔ４からｔ５の期間内に、押しボタンスイッチ１０５が押された瞬間であるアップエッジが存在することを検出する。また、図７ではわかりやすさのために論理の真が高い状態であるが、一般的な押しボタンスイッチ１０５の電位はいわゆるアクティブローであるので、電位の観点から見れば押しボタンスイッチ１０５が押された時点の、信号のダウンエッジを検出する、ということになる。
【００２９】
［検査の手順］
図８は、社会性能力検査システム１０１を用いた、社会性能力検査の手順を示すタイムチャートである。
操作者は、ホワイトノイズ発生源２０３から７０ｄＢのホワイトノイズを再生しながら、操作部２０５を操作して、最初に第一非音声を７０ｄＢで再生する（Ｐ８０１）。そして、情報処理装置２０１は被験者１０２の反応をＲＡＭ３０３に記憶する。次に、第一音声を７０ｄＢで再生し（Ｐ８０２）、同様に情報処理装置２０１は被験者１０２の反応をＲＡＭ３０３に記憶する。以下、再生の後は常に被験者１０２の反応をＲＡＭ３０３に記憶するが、その記載を省略する。
次に、第二非音声を６５ｄＢで再生する（Ｐ８０３）。更に第二音声を６５ｄＢで再生する（Ｐ８０４）。更に、第三非音声を６０ｄＢで再生する（Ｐ８０５）。更に第三音声を６０ｄＢで再生する（Ｐ８０６）。
以上のように、非音声と音声の音を交互に再生し、５ｄＢずつ下げて、異なる種類の非音声と音声の音の再生を繰り返す。
【００３０】
次に、第二非音声を５５ｄＢで再生する（Ｐ８０７）。更に第二音声を５５ｄＢで再生する（Ｐ８０８）。この時点で、被験者１０２の中に反応がない者が居た場合は、一旦音圧レベルを下げることを止め、１回目の再生（Ｐ８０１及びＰ８０２）の時の音圧レベル（７０ｄＢ）から５ｄＢ下げた音圧レベル（６５ｄＢ）まで上げて、５ｄＢずつ下げる再生を繰り返す（Ｐ８０９、Ｐ８１０、Ｐ８１１、Ｐ８１２、Ｐ８１３、Ｐ８１４）。
次に、音圧レベルを上げたステップＰ８０９及びＰ８１０の直前の、ステップＰ８０７及びＰ８０８における音圧レベル（５５ｄＢ）よりも５ｄＢ下げた音圧レベル（５０ｄＢ）で、第一非音声（Ｐ８１５）と第一音声（Ｐ８１６）を再生する。そして、一旦音圧レベルを下げることを止め、５回目の再生（Ｐ８０９及びＰ８１０）の時の音圧レベル（６５ｄＢ）から５ｄＢ下げた音圧レベル（６０ｄＢ）まで上げて、５ｄＢずつ下げる再生を繰り返す（Ｐ８１７、Ｐ８１８、Ｐ８１９、Ｐ８２０）。
【００３１】
すなわち、社会性能力検査システム１０１の検査は以下の手順を遂行する。
（１）最初に最大音量で音声及び非音声を再生して検査を行う。
（２）直前の音と異なる種類の音声及び非音声を、直前の音の音圧レベルよりも５ｄＢずつ下げて再生して検査を行う。
（３）被験者１０２の中に反応ミスがあった場合、その時点で一旦音圧レベルを下げることを止める。そして、最初の音圧レベルから５ｄＢ下げた音圧レベルで再生して検査を行う。
（４）（２）と（３）を繰り返す。その際、（３）で反応ミスが有った音圧レベルの検査を最低３回実施するように繰り返す。
社会性能力検査システム１０１は、被験者１０２に対し、ある音圧レベルの検査について３回実施し、そのうち２回正常反応した音圧レベルについては「合格」と認識し、ＲＡＭ３０３に記録する。
【００３２】
なお、以上の検査手順は手動で行われる。何故ならば、被験者１０２が幼児である場合が多いため、被験者１０２が従順に検査を受け入れない場合があるからである。
また、このように被験者１０２が操作者の意図しない挙動を示す場合を考慮して、被験者１０２が押しボタンスイッチ１０５で遊んでいないか等、被験者１０２の状況を把握するために、図６の操作パネル６０１には押しボタンスイッチ１０５のオン・オフを監視するためのインジケータ６０３が設けられている。
【００３３】
以上の手順によって検査を行い、ＲＡＭ３０３に記録された結果は、ログテーブル３１７に、検査日時と、被験者１０２のＩＤ情報と、非音声・音声の種別と、音圧レベルと、正誤結果が記録される。ログテーブル３１７は一般的な表計算ソフト等で集計し、被験者の検査結果を精神科医または小児科医が見やすい形態で所定の記憶媒体等に出力すればよい。
【００３４】
［検査の結果］
発明者らは、本実施形態の社会性能力検査システム１０１を試験運用して、多数の被験者１０２のデータを収集した結果、本実施形態の社会性能力検査システム１０１が、社会性能力を識別する有意な能力を有することが判った。
図９Ａは、健常者の児童（以下「健常児」と略す）及びＡＳＤの児童（以下「ＡＳＤ児」と略す）を対象として本実施形態の社会性能力検査システム１０１による検査を実施した際の、非音声に対する感受性について、大まかに分類した棒グラフである。
図９Ｂは、健常児及びＡＳＤ児を対象として本実施形態の社会性能力検査システム１０１による検査を実施した際の、音声に対する感受性について、大まかに分類した棒グラフである。
図９Ａを見ると、非音声に対する感受性は、健常児もＡＳＤ児も感受性はあまり変わらない。しかし、図９Ｂを見ると、音声に対する感受性は、健常児に対しＡＳＤ児の感受性が大きく劣る傾向がはっきり認められる。
【００３５】
図１０は、検査結果を集計した結果の受信者操作特性を示すＲＯＣ曲線（Receiver Operating Characteristic）のグラフである。横軸は偽陽性（False positive）であり、縦軸は敏感度（sensitivity）である。このグラフは４５°の直線から左上に離れていることが明確であることから、本実施形態の社会性能力検査システム１０１による検査が有効であることが判る。
【００３６】
本実施形態は、以下のような応用例が考えられる。
（１）本実施形態の社会性能力検査システム１０１では、非音声と音声をそれぞれ３個ずつ用意したが、必ずしもこの個数に限る必要はない。３個を超える他種類の非音声及び音声を用意し、検査の都度ランダムに選択してもよい。
【００３７】
（２）本実施形態の社会性能力検査システム１０１では、ホワイトノイズを再生しつつ（雑音発生ステップ）、操作者が選択した非音声または音声を再生し（音声発生ステップ）、これらをミキシングして、被験者の反応を検出していた（反応検出ステップ）。これに代えて、予めホワイトノイズとミキシング済みの非音声と音声を用意し、ホワイトノイズと繋げて再生する、という手法も考えられる。この、ホワイトノイズと音声を予めミキシング済みの音声ファイルは、雑音発生ステップと音声発生ステップを包含するものと解釈できる。ホワイトノイズのみの音とミキシング済みの音をシームレスに繋げるため、クロスフェードを用いることが好ましい。またこの場合、ミキシング済みの非音声及び音声には、タイマ３１２を駆動させるための、ホワイトノイズでない音が発生したタイミングを示す、時間軸上のマーカー情報を同梱する必要がある。例えば、音声ファイルにＭＩＤＩ（Musical Instrument Digital Interface）を含ませる、等である。
【００３８】
（３）本実施形態の社会性能力検査システム１０１では、スピーカ１０４を用いて、複数名の被験者１０２に同時に検査を実施する。このスピーカ１０４に代えて、ヘッドホンを個々の被験者に装着させてもよい。
【００３９】
（４）本実施形態の社会性能力検査システム１０１によって、人間の声に対する感度が、社会性能力と有意な相関性を有することが判明した。このことから、人間の社会性能力は、非人間の環境音における感度に対する、人間の声における感度との比と、有意な相関性を有することが推測できる。この、環境音対声の感度比または感度差を算出することで、被験者の耳の絶対的な感度に依存しない、より精緻な社会性能力の判定処理の実現が期待できる。
【００４０】
（５）本実施形態の社会性能力検査システム１０１は、所定の音圧レベルの雑音を継続的に発しつつ、雑音に重畳して、人間の声を操作者によって指定された音圧レベルで発する雑音音声発生部としての機能と、雑音音声発生部にて発された人間の声の発音時点から所定の時間範囲内で被験者の反応を検出する反応検出部としての機能を具備する、ともいえる。図２Ａの形態の場合、情報処理装置２０１とオージオメータ２０２は、雑音音声発生部としての機能を実現する。また、情報処理装置２０１は反応検出部としての機能も備える。また、図２Ｂの形態の場合、情報処理装置２０１が雑音音声発生部としての機能と反応検出部としての機能を備える。
【００４１】
本実施形態においては、社会性能力検査システム１０１を開示した。
本実施形態の社会性能力検査システム１０１は、大音響のホワイトノイズに、人間の声を小さな音量で一瞬だけ流す。この人間の声を聞き取れた被験者は、押しボタンスイッチ１０５を押して回答する。被験者が幼児であることが多いので、被験者による押しボタンスイッチ１０５の操作状態をモニタするために、情報処理装置２０１の表示部３０５に表示される操作パネル６０１には、被験者が押しボタンスイッチ１０５を押したことを示すインジケータが設けられている。また、反応の誤検出を防ぐために、タイマ３１２が形成するウィンドウ期間の直前には、音が発されてから人間の反応限界以下の時間だけ、誤検出を防ぐための誤操作除外期間が設けられている。
人間の声に対する感度が、社会性能力と有意な相関性を有することが、多数の被験者に対する検査結果より明らかになった。
【００４２】
以上、本発明の実施形態について説明したが、本発明は上記実施形態に限定されるものではなく、特許請求の範囲に記載した本発明の要旨を逸脱しない限りにおいて、他の変形例、応用例を含む。
例えば、上記した実施形態は本発明をわかりやすく説明するために装置及びシステムの構成を詳細且つ具体的に説明したものであり、必ずしも説明した全ての構成を備えるものに限定されるものではない。また、ある実施形態の構成の一部を他の実施形態の構成に置き換えることは可能であり、更にはある実施形態の構成に他の実施形態の構成を加えることも可能である。また、各実施形態の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００４３】
１０１…社会性能力検査システム、１０２…被験者、１０３…目隠し箱、１０４…スピーカ、１０５…押しボタンスイッチ、１０６…机、１０７…アイマスク、２０１…情報処理装置、２０２…オージオメータ、２０３…ホワイトノイズ発生源、２０４…ＭＰＸ、２０５…操作部、３０１…ＣＰＵ、３０２…ＲＯＭ、３０３…ＲＡＭ、３０４…不揮発性ストレージ、３０５…表示部、３０６…音声インターフェース、３０７…シリアルインターフェース、３０８…バス、３１０…入出力制御部、３１１…再生処理部、３１２…タイマ、３１３…ＧＵＩ制御部、３１４…音声ファイルディレクトリ、３１５…正誤判定処理部、３１６…ユーザテーブル、３１７…ログテーブル、３１８…オーディオミキサ、４０１…第一プリアンプ、４０２…第一アッテネータ、４０３…第一バッファ、４０４…第二プリアンプ、４０５…第二アッテネータ、４０６…第二バッファ、４０７…制御部、４０８…加算器、４０９…マスターアンプ、６０１…操作パネル、６０２…ＩＤ欄、６０３…インジケータ、６０４…再生ボタン、６０５…停止ボタン、６０６…音圧切替バー、６０７…再生指示ボタン領域、６０８…検査制御ボタン
【図１】
2016202443.tif 000003
【図２】
2016202443.tif 000004
【図３】
2016202443.tif 000005
【図４】
2016202443.tif 000006
【図５】
2016202443.tif 000007
【図６】
2016202443.tif 000008
【図７】
2016202443.tif 000009
【図８】
2016202443.tif 000010
【図９】
2016202443.tif 000011
【図１０】
2016202443.tif 000012